(57)【要約】【課題】化粧料の収納部と付属品の収納部とを必要に応じて分離でき、また、分離しなくても容易に化粧料又は付属品を取出せる化粧料容器を提供する。【解決手段】上容器２と下容器３とを備え、下容器３は、吸着体５と、吸着体５と磁力によって引合った状態で吸着体５を案内することが可能な吸着レール部６との一方を有すると共に、形状係合部７と、形状係合部７と凹凸形状を介して係合した状態で形状係合部７を案内することが可能な形状レール部８との一方を有し、上容器２は、吸着体５と吸着レール部６との他方を有すると共に、形状係合部７と形状レール部８との他方を有することを特徴とする化粧料容器１。【選択図】図１
2018140099.tif 000002
【特許請求の範囲】
【請求項１】
化粧料と付属品との一方を収納可能な上収納部を有する上容器と、
化粧料と付属品との他方を収納可能な下収納部を有すると共に前記上容器と着脱可能な下容器とを備え、
前記下容器は、吸着体と、該吸着体と磁力によって引合った状態で前記吸着体を案内することが可能な吸着レール部との一方を有すると共に、形状係合部と、該形状係合部と凹凸形状を介して係合した状態で前記形状係合部を案内することが可能な形状レール部との一方を有し、
前記上容器は、前記吸着体と前記吸着レール部との他方を有すると共に、前記形状係合部と前記形状レール部との他方を有し、
前記吸着レール部による前記吸着体の案内、及び前記形状レール部による前記形状係合部の案内に伴い、前記下収納部を前記上容器によって開閉可能であることを特徴とする化粧料容器。
【請求項２】
前記吸着体と前記吸着レール部とは複数組設けられている、請求項１に記載の化粧料容器。
【請求項３】
前記形状係合部と前記形状レール部とは複数組設けられている、請求項１又は２に記載の化粧料容器。
【請求項４】
前記吸着体は磁石で構成され、前記吸着レール部は鋼板で構成されている、請求項１〜３のいずれか一項に記載の化粧料容器。
【請求項５】
前記形状係合部は突起で構成され、前記形状レール部はスリット又は溝で構成されている、請求項１〜４のいずれか一項に記載の化粧料容器。
【請求項６】
前記吸着レール部及び前記形状レール部は、それぞれ、Ｌ字状に延在している、請求項１〜５のいずれか一項に記載の化粧料容器。
【発明の詳細な説明】
【技術分野】
【０００１】
本発明は、化粧料容器に関する。
【背景技術】
【０００２】
化粧料容器として、例えば、特許文献１に記載されように、化粧料と、塗布具等の付属品とを別々に収納するものが知られている。
【先行技術文献】
【特許文献】
【０００３】
【特許文献１】特開平１１−２４４０３４号公報
【発明の概要】
【発明が解決しようとする課題】
【０００４】
特許文献１に記載されるような従来の化粧料容器は、化粧料の収納部と、付属品の収納部とが互いに分離不能な構成となっている。しかしながら、これら収納部を必要に応じて分離でき、また、分離しなくても容易に化粧料又は付属品を取出せると便利である。
【０００５】
本発明は、このような点に鑑みなされたもので、化粧料の収納部と付属品の収納部とを必要に応じて分離でき、また、分離しなくても容易に化粧料又は付属品を取出せる化粧料容器を提供することを目的とする。
【課題を解決するための手段】
【０００６】
本発明に係る化粧料容器は、
化粧料と付属品との一方を収納可能な上収納部を有する上容器と、
化粧料と付属品との他方を収納可能な下収納部を有すると共に前記上容器と着脱可能な下容器とを備え、
前記下容器は、吸着体と、該吸着体と磁力によって引合った状態で前記吸着体を案内することが可能な吸着レール部との一方を有すると共に、形状係合部と、該形状係合部と凹凸形状を介して係合した状態で前記形状係合部を案内することが可能な形状レール部との一方を有し、
前記上容器は、前記吸着体と前記吸着レール部との他方を有すると共に、前記形状係合部と前記形状レール部との他方を有し、
前記吸着レール部による前記吸着体の案内、及び前記形状レール部による前記形状係合部の案内に伴い、前記下収納部を前記上容器によって開閉可能であることを特徴とする。
【０００７】
また、本発明に係る化粧料容器では、前記吸着体と前記吸着レール部とは複数組設けられていることが好ましい。
【０００８】
また、本発明に係る化粧料容器では、前記形状係合部と前記形状レール部とは複数組設けられていることが好ましい。
【０００９】
また、本発明に係る化粧料容器では、前記吸着体は磁石で構成され、前記吸着レール部は鋼板で構成されていることが好ましい。
【００１０】
また、本発明に係る化粧料容器では、前記形状係合部は突起で構成され、前記形状レール部はスリット又は溝で構成されていることが好ましい。
【００１１】
さらに、本発明に係る化粧料容器では、前記吸着レール部及び前記形状レール部は、それぞれ、Ｌ字状に延在していることが好ましい。
【発明の効果】
【００１２】
本発明によれば、化粧料の収納部と付属品の収納部とを必要に応じて分離でき、また、分離しなくても容易に化粧料又は付属品を取出せる化粧料容器を提供することができる。
【図面の簡単な説明】
【００１３】
【図１】本発明の第１実施形態に係る化粧料容器を示す斜視図であり、上容器と下容器とを分離した状態を示す。
【図２】図１に示す上容器を、蓋体を開いた状態で示す上面図である。
【図３】図１に示す下容器を示す上面図である。
【図４】図１の化粧料容器を、蓋体を開いた状態で示す縦断面図である。
【図５】図１の化粧料容器を、蓋体を開き、下容器を前方にスライドした状態で示す上面図である。
【図６】図５の状態から下容器を側方にスライドさせた状態を示す上面図である。
【図７】本発明の第２実施形態に係る化粧料容器を示す斜視図であり、上容器と下容器とを分離した状態を示す。
【図８】図７に示す上容器を、蓋体を開いた状態で示す上面図である。
【図９】図７に示す下容器を示す上面図である。
【図１０】図７の化粧料容器を、蓋体を開き、下容器を前方にスライドした状態で示す上面図である。
【発明を実施するための形態】
【００１４】
以下、図面を参照して、本発明の一実施形態に係る化粧料容器について詳細に例示説明する。なお、本明細書において、化粧料容器についての上方とは、上容器と下容器とが互いに付着した状態において下容器から上容器に向う方向（例えば、図４における下側から上側に向う方向）を意味する。また、化粧料容器についての前方とは、上容器と下容器とが互いに付着した状態において、上容器の蓋体のヒンジが位置する側の側面から、当該ヒンジと対向する側の側面に向う方向（例えば、図４における右側から左側に向う方向）を意味する。また、上容器又は下容器についての上方及び前方は、化粧料容器についての上方及び前方と一致する。
【００１５】
まず、図１〜図６を参照して、本発明の第１実施形態に係る化粧料容器１について詳細に例示説明する。図１〜図４に示すように、本実施形態に係る化粧料容器１は、携帯用容器であるコンパクトとして構成されている。なお、化粧料容器１は、上面視矩形状をなしているが、例えば上面視で円形、楕円形、多角形等をなしていてもよい。化粧料容器１は、上容器２と下容器３とを備えている。上容器２は化粧料（図示省略）を収納可能な上収納部２ａを有している。下容器３は、付属品４を収納可能な下収納部３ａを有すると共に上容器２と着脱可能に構成されている。なお、本例では、付属品４はブラシとして構成されているが、付属品４はブラシに限らず、例えばパフ等の塗布具であってもよいし、塗布具以外の例えば櫛等であってもよい。
【００１６】
上容器２は、上収納部２ａを有する容器体２ｂと、容器体２ｂにヒンジ２ｃを介して揺動可能に連結された蓋体２ｄとを有している。上収納部２ａは、上方に開放された凹形状をなしており、蓋体２ｄによって開閉可能に構成されている。しかし、蓋体２ｄは、このようなヒンジ２ｃを介して容器体２ｂに連結される構成のものに限られず、例えば、容器体２ｂに着脱可能に構成されていてもよい。なお、本例では、蓋体２ｄの内面には、鏡２ｅが設けられている。また、上容器２は、その底部に底壁２ｆを有している。底壁２ｆは、本例では、上収納部２ａの下方に、上収納部２ａとは別個に設けられている。
【００１７】
本例では、上容器２は、下容器３に設けられた吸着体５（本例では、磁石で構成）と磁力によって引合った状態で吸着体５を案内することが可能な吸着レール部６を有している。吸着レール部６は、本例では、例えばステンレス鋼板等の鋼板で構成されている。また、吸着レール部６は、本例では、底壁２ｆの上面に固着されている。さらに、吸着レール部６は、本例では、図２に示すように、Ｌ字状に延在している。より具体的には、吸着レール部６は、前後方向に延在する第１部分６ａと、左右方向に延在する第２部分６ｂとからなっている。なお、本例では、吸着体５と吸着レール部６とは１組設けられている。
【００１８】
また、本例では、上容器２は、下容器３に設けられた形状係合部７（本例では、突起で構成）と凹凸形状を介して係合した状態で形状係合部７を案内することが可能な形状レール部８を有している。形状レール部８は、本例では、底壁２ｆに形成されたスリットで構成されている。なお、形状レール部８は、スリットに限らず、例えば溝で構成してもよい。さらに、形状レール部８は、本例では、図２に示すように、吸着レール部６と同一方向に折れ曲がるＬ字状に延在している。より具体的には、形状レール部８は、前後方向に延在する第１部分８ａと、左右方向に延在する第２部分８ｂとからなっている。なお、本例では、形状係合部７と形状レール部８とは１組設けられている。
【００１９】
下容器３は、本例では、外容器３ｂと枠体３ｃとで構成されている。外容器３ｂは、矩形状の底板３ｄと該底板３ｄの外周縁に立設された周板３ｅとを有している。枠体３ｃは、上面視略矩形状の周壁３ｆと、周壁３ｆの上端に連なる頂壁３ｇとを有している。そして、頂壁３ｇ、周壁３ｆ及び底板３ｄによって、下収納部３ａが構成されている。また、頂壁３ｇは、周壁３ｆの内側において、付属品４の取出口３ｈを形成している。取出口３ｈは、本例では上面視Ｌ字状をなしている。なお、本例では、底板３ｄに、略Ｕ字状のスリットによって、付属品４の押上げ片３ｉが形成されており、この押上げ片３ｉを下方から押上げることで、付属品４を上方に押上げ、取出しやすくすることができるようになっている。なお、押上げ片３ｉの形状は適宜変更が可能であり、また、押上げ片３ｉを設けない構成としてもよい。
【００２０】
本例では、下容器３は、前述したとおり、磁石で構成された吸着体５を有している。吸着体５は、本例では頂壁３ｇの底面に固着されている。本例では、図３に示すように、周壁３ｆは内側に凹む段差部３ｊを有しており、この段差部３ｊに吸着体５が配置されている。なお、吸着体５は、吸着レール部６と引合う力を十分に得られれば、例えば、頂壁３ｇから離れた位置で周壁３ｆに固着してもよい。
【００２１】
また、本例では、下容器３は、前述したとおり、突起で構成された形状係合部７を有している。形状係合部７は、本例では頂壁３ｇの上面に設けられている。
【００２２】
なお、本例では、容器体２ｂは、上収納部２ａを有する上部材と底壁２ｆを有する下部材とで構成されており、当該上部材及び下部材は、それぞれ、樹脂による射出成形によって形成されている。また、蓋体２ｄ、外容器３ｂ及び枠体３ｃも、それぞれ、樹脂による射出成形によって形成されている。なお、これらの各部材の材料及び製法は適宜変更が可能である。また、上容器２の部材構成及び下容器３の部材構成も適宜変更が可能である。
【００２３】
以上のような構成により、本実施形態に係る化粧料容器１は、図４に示すように、上容器２に下容器３を付着させて、下容器３の下収納部３ａを上容器２で閉じることができる。また、図２、図３に示すように、上容器２と下容器３とを必要に応じて分離させることもできる。さらに、上容器２と下容器３とを互いにスライドさせることで、下収納部３ａを上容器２によって開閉することもできる。すなわち、上容器２と下容器３とを分離しなくても容易に付属品４を取出すことができる。具体的には、吸着レール部６による吸着体５の案内、及び形状レール部８による形状係合部７の案内に伴い、下収納部３ａを上容器２によって開閉することができる。なお、本例では、吸着レール部６及び吸着体５に加え、形状レール部８及び形状係合部７も設けているので、吸着レール部６による吸着体５の案内時において、形状レール部８と形状係合部７との係合により、がたつきの発生を抑制することができる。なお、形状係合部７は、形状レール部８のいずれの位置に案内されているときでも、吸着体５と吸着レール部６とを引き離すことによって、形状レール部８から分離させることができる。
【００２４】
また、本例では、まず、図５に示すように、吸着レール部６の第１部分６ａで吸着体５を案内すると共に、形状レール部８の第１部分８ａで形状係合部７を案内することで、上容器２に対して下容器３を前方にスライドさせ、下収納部３ａ（取出口３ｈ）を開くことができる。そして、さらに、図６に示すように、吸着レール部６の第２部分６ｂで吸着体５を案内すると共に、形状レール部８の第２部分８ｂで形状係合部７を案内することで、上容器２に対して下容器３を左右方向にスライドさせ、下収納部３ａ（取出口３ｈ）をさらに大きく開くことができ、付属品４の取出しをさらに容易にすることができる。
【００２５】
次に、図７〜図１０を参照して、本発明の第２実施形態に係る化粧料容器１’について詳細に例示説明する。図７〜図９に示すように、本実施形態に係る化粧料容器１’は、吸着レール部６’と吸着体５’とを２組有し、形状レール部８’と形状係合部７’とを２組有し、吸着レール部６’及び形状レール部８’が直線状に形成されており、取出口３ｈ’が矩形状をなしている点を除き、第１実施形態の場合と同様の構成となっている。
【００２６】
本例では、化粧料容器１’の左右両側部にそれぞれ、吸着レール部６’と吸着体５’との１組が配置されており、これらの間で左右に並ぶように、形状レール部８’と形状係合部７’との２組が配置されている。吸着レール部６’及び形状レール部８’は、それぞれ、前後方向に延びる直線状に形成されている。
【００２７】
したがって、第１実施形態の場合と同様に、上容器２’に下容器３’を付着させて、下容器３’の下収納部３ａ’を上容器２’で閉じたり、必要に応じて上容器２’と下容器３’とを分離させたり、上容器２’と下容器３’とを互いにスライドさせて下収納部３ａ’を開閉したりすることができる。本例では、そのスライドは、図１０に示すように、吸着レール部６’による吸着体５’の前後方向への案内、及び形状レール部８’による形状係合部７’の前後方向への案内によって実現される。その際、本例では、吸着レール部６’と吸着体５’とが２組設けられ、形状レール部８’と形状係合部７’とが２組設けられているので、第１実施形態の場合と比べ、上容器２’と下容器３’とのより安定した吸着と、よりスムーズなスライドを実現することができる。なお、本例においても、形状係合部７’は、形状レール部８’のいずれの位置に案内されているときでも、吸着体５’と吸着レール部６’とを引き離すことによって、形状レール部８’から分離させることができる。
【００２８】
以上、本発明の一実施形態について説明したが、前述したところは本発明の実施形態の一例を示したにすぎず、発明の要旨を逸脱しない限り、種々の変更を加えてよいことは言うまでもない。
【００２９】
例えば、前述した第１実施形態及び第２実施形態では、上収納部を化粧料を収納可能に構成し、下収納部を付属品を収納可能に構成していたが、その逆に、上収納部を付属品を収納可能に構成し、下収納部を化粧料を収納可能に構成してもよい。
【００３０】
また、前述した第１実施形態及び第２実施形態では、下容器が吸着体を有し、上容器が吸着レール部を有していたが、その逆に、下容器が吸着レール部を有し、上容器が吸着体を有する構成としてもよい。また、前述した第１実施形態及び第２実施形態では、吸着体を磁石で構成し、吸着レール部を鋼板で構成していたが、その逆に、吸着体を鋼板で構成し、吸着レール部を磁石で構成してもよいし、吸着体と吸着レール部との両方を磁石で構成してもよい。また、鋼板に代えて、鋼板以外の磁性体を用いてもよい。さらに、吸着レール部と吸着体とは３組以上設けてもよい。
【００３１】
また、前述した第１実施形態及び第２実施形態では、下容器が形状係合部を有し、上容器が形状レール部を有していたが、その逆に、下容器が形状レール部を有し、上容器が形状係合部を有する構成としてもよい。また、前述した第１実施形態及び第２実施形態では、形状係合部を突起で構成し、形状レール部をスリットで構成していたが、形状係合部を突起以外の凸状部で構成し、形状レール部をスリット以外の凹状部で構成してもよいし、その逆に、形状係合部を凹状部で構成し、形状レール部を凸状部で構成してもよい。さらに、形状レール部と形状係合部とは３組以上設けてもよい。
【００３２】
さらに、吸着レール部及び形状レール部は、それぞれ、Ｌ字状又は直線状に限らず、例えば曲線状に延在していてもよい。
【符号の説明】
【００３３】
１、１’  化粧料容器
２、２’  上容器
２ａ  上収納部
２ｂ  容器体
２ｃ  ヒンジ
２ｄ  蓋体
２ｅ  鏡
２ｆ  底壁
３、３’  下容器
３ａ、３ａ’  下収納部
３ｂ  外容器
３ｃ  枠体
３ｄ  底板
３ｅ  周板
３ｆ  周壁
３ｇ  頂壁
３ｈ、３ｈ’  取出口
３ｉ  押上げ片
３ｊ  段差部
４    付属品
５、５’  吸着体
６、６’  吸着レール部
６ａ  第１部分
６ｂ  第２部分
７、７’  形状係合部
８、８’  形状レール部
８ａ  第１部分
８ｂ  第２部分
【図１】
2018140099.tif 000003
【図２】
2018140099.tif 000004
【図３】
2018140099.tif 000005
【図４】
2018140099.tif 000006
【図５】
2018140099.tif 000007
【図６】
2018140099.tif 000008
【図７】
2018140099.tif 000009
【図８】
2018140099.tif 000010
【図９】
2018140099.tif 000011
【図１０】
2018140099.tif 000012